(57)【要約】    【課題】  帯状の印字媒体を手動で切断する外付けのプリンタの手動カッタ装置を提供する。【解決手段】  排出されてきた印字媒体５８が搬送される搬送口５と、搬送口の下端部に形成され印字媒体を載置する印字媒体押え部６と、を備えた固定ブラケット２と、印字媒体の幅方向Ｗにおいて傾斜状に形成されたガイド溝７と、固定ブラケットの印字媒体押え部に向けて進退動可能に設けられ、固定ブラケットに向けて進出したとき、印字媒体押え部に印字媒体を押し付ける押付け機構８と、ガイド溝に沿って移動するカッタ刃９と、を備えた可動プラケット３と、を有し、可動ブラケットを固定ブラケットに向けて進出したとき、カッタ刃がガイド溝に沿って幅方向に移動して押付け機構と印字媒体押え部との間に押し付けられている印字媒体を切断する。【選択図】  図３
2014124769.tif 000002
【特許請求の範囲】
【請求項１】
プリンタのラベル発行口より搬送方向に排出されてきた帯状の印字媒体を、手動により排出方向と交差する幅方向に移動するカッタ刃により切断するプリンタの手動カッタ装置であって、
排出されてきた前記印字媒体が搬送される搬送口と、
前記搬送口の下端部に形成されるとともに、前記印字媒体を載置する印字媒体押え部と、を備えた固定ブラケットと、
前記印字媒体の幅方向において傾斜状に形成されたガイド溝と、
前記固定ブラケットの前記印字媒体押え部に向けて進退動可能に設けられるとともに、前記固定ブラケットに向けて進出したとき、前記印字媒体押え部に印字媒体を押し付ける押付け機構と、
前記ガイド溝に沿って移動する前記カッタ刃と、を備えた可動プラケットと、を有し、
前記可動ブラケットを固定ブラケットに向けて進出したとき、前記カッタ刃が前記ガイド溝に沿って幅方向に移動して前記押付け機構と前記印字媒体押え部との間に押し付け・固定されている前記印字媒体を切断することを特徴とするプリンタの手動カッタ装置。
【請求項２】
前記押付け機構は、
前記印字媒体押え部に対峙する上方において、前記印字媒体押え部とほぼ平行に突出して形成された支持部材と、
前記可動ブラケットを進出した際、前記印字媒体押え部に載置された前記印字媒体に当接する押付け部材と、
前記押付け部材を一端部に固定するとともに、他端部が前記支持部材を貫通して設けられた保持軸と、
前記保持軸に貫入するとともに、前記支持部材と前記押付け部材との間に介在する押付け部材ばねと、
前記固定ブラケットと可動ブラケットの間に介在し、前記固定ブラケットに対し可動ブラケットを進退動可能とする可動ブラケットばねと、を備えることを特徴とする請求項１に記載のプリンタの手動カッタ装置。
【請求項３】
前記カッタ刃には、支持軸が形成されるとともに、前記支持軸が前記ガイド溝に挿入されており、
前記可動ブラケットが前記固定ブラケットに向けて進出したとき、前記可動ブラケットの前記ガイド溝に沿って前記支持軸が幅方向において移動しながら前記カッタ刃を回転させることを特徴とする請求項１に記載のプリンタの手動カッタ装置。
【発明の詳細な説明】
【技術分野】
【０００１】
本発明は、特に、各種のプリンタにより印字された帯状の印字媒体を手動で切断する外付けのプリンタの手動カッタ装置に関する。
【背景技術】
【０００２】
従来、帯状の連続紙に画像印刷を行うプリンタ装置に、連続紙を切断するカッタユニットをボルト等で着脱自在に装着したカッタ付きプリンタが知られている（例えば、特許文献１参照）。
特許文献１のプリンタ５１を図１０により説明すると、プリンタ装置であるラベルプリンタ５２にカッタユニット５３を連結板であるロックプレート５４と共に着脱自在に装着した構造となっている。
【０００３】
先ず、ラベルプリンタ（プリンタ装置）５２の構造を説明すると、本体ハウジング５５の内部に画像印刷部（画像印字部）５６とシート供給部５７とが設けられており、このシート供給部５７はロール状に巻回されたラベルシートやタグシート等の連続紙（印字媒体）５８を回転自在に軸支する構造となっている。そして、この連続紙５８に画像印刷を行なう前記画像印刷部５６は、回転自在に軸支されたプラテンローラ５９上にラインヘッド６０を接離自在に対向配置した構造となっており、このような構造の画像印刷部５６のプラテンローラ５９の前方には三角柱状のラベル剥離部６１が設けられている。このラベル剥離部６１は、カッタユニット５３を使用しない際、連続紙５８の一つであるラベルシートの台紙６２（図１０において、想像線で示してある）を急角度に曲折してラベル（図示せず）を剥離させるようになっており、このようなラベル剥離部６１で曲折されたラベルシートの台紙６２は、前記プラテンローラ５９と補助ローラ６３と間に挟持されて搬送され、台紙排出口６４より排出されるようになっている。
【０００４】
なお、カッタユニット５３では、前記カッタ本体６５に結線された接続コネクタ６６が引出されており、この接続コネクタ６６は、図示省略の貫通孔を介して前記ラベルプリンタ５２の接続コネクタ６７に接続されるようになっている。なお、接続コネクタ６７は、他端が本体ハウジング５５内に設けられたＣＰＵ６８（ｃｅｎｔｒａｌ  ｐｒｏｃｅｓｓｉｎｇ  ｕｎｉｔ）に接続されている。
【０００５】
このような構成において、このカッタ付きプリンタ５１では、ラベルプリンタ５２は、シート供給部５７内の連続紙５８を画像印刷部５６のプラテンローラ５９で搬送してラインヘッド６０で画像印刷（印字）を行ない、ラベル発行口６９より排出方向（下流側）Ｆに排出する。カッタユニット５３では、画像印刷が行なわれた連続紙５８を所定長さに切断するようになっており、所定の画像印刷が行なわれたラベルを一枚毎に発行するようなことができるようになっている。
なお、ＣＰＵ６８は、接続コネクタ６７だけでなく、前記プラテンローラ５９やラインヘッド６０などと接続されており、ラインヘッド６０にて印刷する画像の生成やプラテンローラ５９を回転させるなどの制御を行うようになっている。
【０００６】
ところで、特許文献１のカッタユニット５３は電動のため、カッタ本体６５側に設けられた、結線された接続コネクタ６６をラベルプリンタ（プリンタ装置）５２の本体ハウジング５５側に設けられた接続コネクタ６７へ接続する必要があった。すなわち、カッタ本体６５と本体ハウジング５５とを接続コネクタ６６、６７で接続することにより、カッタ本体６５と本体ハウジング５５とが電気的に接続されるとともに信号の授受が可能になり、ＣＰＵ６８の制御下、電動のカッタユニット５３によってラベル（図示省略）を1枚ずつ切断できるようになっている。
【０００７】
しかしながら、カッタユニット５３が電動であるとカッタユニット５３側にもモータ（図示省略）を設け、かつ、電源を設けるか、あるいは、本体ハウジング５５側から電源を供給する必要があり、カッタ本体６５が大型化する恐れがあるばかりか、場合によってはカッタユニット５３側にも制御用のＣＰＵ（図示省略）を設ける必要があるため、装置が高価になるという問題があった。
また、結線された接続コネクタ６６および信号線がカッタ本体６５の外部に設けられているため、断線し易いという問題があった。
【先行技術文献】
【特許文献】
【０００８】
【特許文献１】特開平５−２０８５３１号公報
【発明の概要】
【発明が解決しようとする課題】
【０００９】
本発明は、上記の問題点に着目して成されたものであり、特に、各種のプリンタにより印字された帯状の印字媒体を手動で切断する外付けのプリンタの手動カッタ装置を提供することを課題とする。
【課題を解決するための手段】
【００１０】
本発明に係るプリンタの手動カッタ装置は、プリンタのラベル発行口より搬送方向に排出されてきた帯状の印字媒体を、手動により排出方向と交差する幅方向に移動するカッタ刃により切断するプリンタの手動カッタ装置であって、排出されてきた前記印字媒体が搬送される搬送口と、前記搬送口の下端部に形成されるとともに、前記印字媒体を載置する印字媒体押え部と、を備えた固定ブラケットと、前記印字媒体の幅方向において傾斜状に形成されたガイド溝と、前記固定ブラケットの前記印字媒体押え部に向けて進退動可能に設けられるとともに、前記固定ブラケットに向けて進出したとき、前記印字媒体押え部に印字媒体を押し付ける押付け機構と、前記ガイド溝に沿って移動する前記カッタ刃と、を備えた可動プラケットと、を有し、前記可動ブラケットを固定ブラケットに向けて進出したとき、前記カッタ刃が前記ガイド溝に沿って幅方向に移動して前記押付け機構と前記印字媒体押え部との間に押し付け・固定されている前記印字媒体を切断することを特徴とする。
また、押付け機構は、印字媒体押え部に対峙する上方において、印字媒体押え部とほぼ平行に突出して形成された支持部材と、可動ブラケットを進出した際、印字媒体押え部に載置された印字媒体に当接する押付け部材と、押付け部材を一端部に固定するとともに、他端部が支持部材を貫通して設けられた保持軸と、保持軸に貫入するとともに、支持部材と押付け部材との間に介在する押付け部材ばねと、固定ブラケットと可動ブラケットの間に介在し、固定ブラケットに対し可動ブラケットを進退動可能とする可動ブラケットばねと、を備えるようにできる。
また、カッタ刃に、支持軸を形成するとともに、支持をガイド溝に挿入し、可動ブラケットが固定ブラケットに向けて進出したとき、可動ブラケットのガイド溝に沿って支持軸が幅方向において移動しながらカッタ刃を回転させるようにできる。
【発明の効果】
【００１１】
本発明のプリンタの手動カッタ装置は、印字媒体を手動にて切断するため、カッタ刃を回転させるモータや電源装置、並びに、切断を制御するＣＰＵが不要となるため、装置が安価にできるという効果がある。
【００１２】
また、印字媒体を載置する印字媒体押え部を備えた固定ブラケットに対し、可動部材を進出したとき、押付け機構により印字媒体を印字媒体押え部に押し付け・固定した上で、ガイド溝に沿って固定刃を幅方向に移動して押付け機構と印字媒体押え部の間に押し付けられている印字媒体を切断するため、切断が確実に行われるという効果がある。
【００１３】
また、押付け機構が、印字媒体押え部に対峙する上方において、印字媒体押え部とほぼ平行に突出して形成された支持部材と、可動ブラケットを進出した際、印字媒体押え部に載置された印字媒体に当接する押付け部材と、押付け部材を一端部に固定するとともに、他端部が支持部材を貫通して設けられた保持軸と、保持軸に貫入するとともに、支持部材と押付け部材との間に介在する押付け部材ばねと、固定ブラケットと可動ブラケットの間に介在し、固定ブラケットに対し可動ブラケットを進退動可能とする可動ブラケットばねと、を備えるようにすれば、固定ブラケットに対し可動ブラケットを進退動させる際、可動ブラケットばねにより可動ブラケットの進退動が円滑であり、かつ、可動ブラケットを固定ブラケットに対し進出させた際、押付け部材ばねを介して押付け部材が印字媒体押え部に載置された印字媒体を押付けるので、印字媒体の固定・保持が確実となる。
さらに、カッタ刃には、支持軸が形成されるとともに、支持軸がガイド溝に挿入されており、可動ブラケットが固定ブラケットに向けて進出したとき、可動ブラケットのガイド溝に沿って支持軸が幅方向において移動しながらカッタ刃を回転させるようにすれば、可動ブラケットのガイド溝に沿って支持軸が幅方向において移動しながらカッタ刃を回転させるので、モータなどを使用しない簡単な構造でカッタ刃に回転力を付与することができる。
【図面の簡単な説明】
【００１４】
【図１】本発明に係る手動カッタ装置がプリンタに外付けされた状態を示す概略斜視図である。
【図２】同、手動カッタ装置のみの概略斜視図である。
【図３】同、図２中、矢示ＩＩＩ方向より見た概略正面図であり、カッタ刃が始点部の待機位置に位置決めされた状態を示す。
【図４】同、図３中、矢示ＩＶ方向より固定ブラケットおよび可動ブラケットの上端部分を拡大して見た、概略拡大側面図である。
【図５】同、可動ブラケットに力を加えることにより、カッタ刃が幅方向に移動し始めた状態を示す図３相当の概略正面図である。
【図６】同、図５の状態より、さらにカッタ刃が幅方向に移動した状態を示す図３相当の概略正面図である。
【図７】同、図６の状態より、さらにカッタ刃が幅方向に移動し終端部に位置決めされた状態を示す図３相当の概略正面図である。
【図８】同、図７中、矢示ＶＩＩＩ方向より見た概略側面図である。
【図９】同、可動部ブラケットのスイッチ押込み部材とプリンタの第１および第２の切断確認用スイッチとの関係を示す概略拡大説明図である。
【図１０】従来のカッタ付きプリンタを示す概略側面説明図である。
【発明を実施するための形態】
【００１５】
以下、本発明の一実施の形態につき、図１ないし図９に基づいて説明する。
なお、以下において、従来技術と同様と同様の部分は同一符号を付すに止め、詳説を省略する。
【００１６】
図１は、本発明に係る手動カッタ装置１がプリンタ５１に外付けされた状態を示す概略斜視図であり、ラベルプリンタ（プリンタ装置）５２のラベル発行口６９の下流側に設けられている、
なお、手動カッタ装置１は通常、図示省略のケースで覆われているが、説明の都合上、省略してある。
【００１７】
主に、図２ないし図４に基づき説明すると、手動カッタ装置１は、固定ブラケット２と、可動ブラケット３とを備え、固定ブラケット２に対し、可動ブラケット３が進退動自在に設けられている。
固定ブラケット２は、上流側の側壁２ａと下流側の側壁２ｂとを備えており、両側壁２ａ、２ｂは所望の距離、隔てられて立設されるとともに、間に中空部４が形成されている。
また、固定ブラケット２には、搬送口５が形成されるとともに、この搬送口５の下端部には、印字媒体押え部６を備えている。
搬送口５は、前記プリンタ装置５２のラベル発行口６９と、高さ方向、幅方向Ｗにおいてほほ同様の位置に開口されており、ラベル発行口６９から排出方向Ｆに排出された印字済み印字媒体５８を下流側に通過できるようになっている。
また、印字媒体押え部６は、搬送口５の下端部に設けられており、かつ、上流側と下流側に一対設けられた印字媒体押え部６ａ、６ｂにより構成されるとともに、幅方向Ｗ（図３参照）において延伸されて形成されており、搬送口５に排出されてきた印字媒体５８を載置・固定する役割を果たすためのものである（詳細は、後述する）。
【００１８】
可動ブラケット３は、断面がコ字状に形成されるとともに、コ字状の開口部が前記可動ブラケット３に上方から覆いかぶさるように設けられており（主に、図４参照）、主に、ガイド溝７と、押付け機構８と、カッタ刃９と、可動ブラケットばね１０と、スイッチ押込み部材１５と、を備える。
ガイド溝７は、主に、図３にて説明すると、右端部から左端部に向けた幅方向Ｗにおいて、緩い上り勾配をもった傾斜状に形成されている。
【００１９】
押付け機構８は、主に、図４に示すように、支持部材１１と、押付け部材１２と、保持軸１３と、押付け部材ばね１４と、を備える。
支持部材１１は、前記印字媒体押え部６に対峙する上方において、印字媒体押え部６とほぼ平行に、可動ブラケット３の側面に突出して形成されており、上・下流側に設けられた印字媒体押え部６ａ、６ｂと同様、上・下流側に設けられた一対の支持部材１１ａ、１１ｂにより構成されている。この支持部材１１には、図示省略の貫通孔が設けられている。
押付け部材１２は、印字媒体押え部６に載置された印字媒体５８に進出したとき印字媒体５８に当接して押し付ける役目を果たす「固定・保持部材」である。
保持軸１３は、ボルト状を呈し、前記支持部材１１の貫通孔（図示省略）に貫通させるとともに、先端部に前記押付け部材１２が固定されている。
押付け部材ばね１４は、前記保持軸１３に貫入されるとともに、前記押付け部材１２と支持部材１１の間に介在する圧縮バネである。そして、前記押付け部材１２が印字媒体５８に進出して当接したとき、弾性力により前記印字媒体押え部６と押付け部材１２の間において印字媒体５８を挟み込んで固定・保持する際の押付け力を付す役目をもっている。
【００２０】
カッタ刃９は、支持軸１６を備えており、前記固定ブラケット２の上端部の中空部４に設けられるとともに、支持軸１６が前記固定ブラケット２の搬送口５、および可動ブラケット３のガイド溝７に挿通して設けられている。そして、カッタ刃９は、前記支持軸１６がガイド溝７に沿って移動することにより、幅方向Ｗにおいて回転しながら移動するようになっている（詳細は、後述する）。
【００２１】
可動ブラケットばね１０は、前記固定ブラケット２と可動ブラケット３の間に介在する圧縮ばねであり、固定ブラケット２に向けて可動ブラケット３を手で押し付けて進出させると収縮し、また、進出させた状態から手を離すと反発・伸長して固定ブラケット２から可動ブラケット３を離反させるように作用する。すなわち、この可動ブラケットばね１０により通常、可動ブラケット３は、固定ブラケット２より離反し、印字媒体５８が排出されてくる搬送口５を開けて待機するとともに、印字媒体５８を切断する際に、可動ブラケット３を手で押し付けると、可動ブラケットばね１０に抗して下方へ進出するようになっている。
【００２２】
スイッチ押込み部材１５は、可動ブラケット３のラベルプリンタ（プリンタ装置）５２側の側面に突出して設けられ、さらに、ケースＣ（図９において、想像線で示してある）より突出して設けられており、プリンタ５１の後述する「切断確認用スイッチ」を押すようになっている。
【００２３】
ここで、主に、図９に基づき、プリンタ５１を説明する。
プリンタ５１の本体ハウジング５５内には、第１の切断確認用スイッチ７０および第２の切断確認用スイッチ７１が設けられており、この第１および第２の切断確認用スイッチ７０、７１とも、「押しボタンスイッチ」であり、指や基材等で押している間はスイッチがオンとなり、また、指や基材等を外すとスイッチがオフとなる。また、第１および第２の切断確認用スイッチ７０、７１とも、ＣＰＵ６８に接続されており、前記オン・オフ状態をＣＰＵ６８により監視し、印字媒体５８の搬送等の制御に使用するようになっている。
なお、図９は、手動カッタ装置１の可動ブラケット３が、固定ブラケット２から離反した待機位置に位置決めされた状態を示しており、さらに、待機位置において、前記手動カッタ装置１の可動ブラケット３より突出して設けられたスイッチ押込み部材１５により、第１の切断確認用スイッチ７０が本体ハウジング５５内に押し込められてオンとなっている状態を示している。
【００２４】
また、本発明の手動カッタ装置１が接続されているとき、プリンタ５１のＣＰＵ６８では以下の制御を行う。
１）第１および第２の切断確認用スイッチ７０、７１の監視
第１の切断確認用スイッチ７０がオンからオフに転じ、かつ、所定時間内（例えば、５秒以内）に第２の切断確認用スイッチ７１がオフからオンに転じ、さらに、第２の切断確認用スイッチ７１が所定時間内（１から３秒以内）にオンからオフに転ずると共に、第１の切断確認用スイッチ７０がオンに転ずるか否かを監視する。
上記監視により、記録媒体５８の不完全な切断を防止できる（詳細は、後述する）。
２）印字位置への位置決め
所定時間内の上記第１の切断確認用スイッチ７０のオフ、第２の切断確認用スイッチ７１のオン、第１の切断確認用スイッチ７０のオンが確認できたとき、プラテンローラ５９に信号を送って排出方向Ｆとは逆方向にプラテンローラ５９を回転し、手動カッタ装置１に止まっている印字媒体５８の印字位置をラインヘッド６０に位置決めする。
３）印字動作
シート供給部５７内の印字媒体（連続紙）５８を画像印刷部５６のプラテンローラ５９にて搬送しつつ、ラインヘッド６０で画像印字を行ない、ラベル発行口６９より排出方向Ｆに排出するとともに、手動カッタ装置１のカッタ刃９の位置に印字媒体５８の切断位置を位置決めする。
【００２５】
次に、手動カッタ装置１の使用状態につき説明する。
プリンタ５１にてラベル発行が指示されると、画像印刷部５６にて印字媒体５８に画像印刷が施されるとともに、ラベル発行口６９より排出方向Ｆに搬送される。
【００２６】
図３は、カッタ刃９が始点部（同図の右側端部）に待機・位置決めされ、搬送口５が開け放されている状態を示している。
プリンタ５１より発行された印字媒体５８は、手動カッタ装置１の搬送口５を通過して印字媒体押え部６に載置されるとともに、カッタ刃９の位置に印字媒体５８の切断位置が位置決めされて搬送を停止する。
【００２７】
操作者（図示省略）が可動ブラケット３の上部に指、あるいは手を添えて下方へ押して進出させると（図３の矢示Ｇ参照）、可動ブラケットばね１０に抗し、可動ブラケット３が固定部ブラケット２側に進出するとともに、押付け機構８により印字媒体５８が固定される。より具体的には、可動ブラケット３の下方への進出に伴い、可動ブラケット３の側面に突出して形成されている支持部材１１が印字媒体押え部６に向けて進出すると、保持軸１３に貫入されるとともに、支持部材１１と押付け部材１２の間に介在する押付け部材ばね１４が圧縮されて押付け部材１２を印字媒体押え部６側に押し付け、印字媒体押え部６に載置されている印字媒体５８を押付け部材１２との間で固定・保持する。
また、可動ブラケット３を下方へ進出すると、図５に示すように、始点部の待機位置（図３参照）に位置決めされていたカッタ刃９が幅方向Ｗに動き始める。すなわち、可動ブラケット３を固定ブラケット２側に進出させると、傾斜して形成されたガイド溝７に支持軸１６が挿通して軸支されているカッタ刃９は、ガイド溝７に沿って図５における右側端部から左側端部に向けて動き出すものであり、このとき、ガイド溝７が傾斜して形成されているため、軸支されている支持軸１６は回転しながら移動するものであり、以て、カッタ刃９は回転しながら移動するものである。
【００２８】
更に、図６に示すように矢示Ｇ方向に力を加えると、カッタ刃９は、さらに幅方向Ｗへの移動を続け、図７に示すように、左側端部の終端部（終点部）にて停止する。図８は、図７中、矢示ＶＩＩＩ方向より見た概略側面図である。押付け部材１２により印字媒体押え部６に固定・保持された印字媒体５８は、カッタ刃９の幅方向Ｗの移動により切断されるものである。
また、終端部にカッタ刃９が到達した時点、すなわち、印字媒体５８の切断が完了した時点で、操作者（図示省略）が可動ブラケット３の上部を押している指を離すと、可動ブラケットばね１０の反発力で可動ブラケット３は固定ブラケット２より離反した元の待機位置（図３および図４）に復帰するとともに、終端部に移動して停止しているカッタ刃９は、先とは逆に、終端部（左端部）から右端部に向け幅方向Ｗに移動し始点部に復帰する。
【００２９】
なお、手動カッタ装置１の使用時の電気的な作動を、主に、可動部ブラケット３のスイッチ押込み部材１５とプリンタ５１の第１および第２のスイッチ７０、７１との関係を示す図９に基づき説明する。
可動ブラケット３が、固定ブラケット２から離反した待機位置に位置決めされた状態（図９）においては、スイッチ押込み部材１５により押し込められた第１の切断確認用スイッチ７０がオン、第２の切断確認用スイッチ７１がオフ状態となっている。
可動ブラケット３の上部に指、あるいは手を添えて下方（矢示Ｇ方）へ力を加えて進出させると、第１の切断確認用スイッチ７０はオフとなる。
さらに、可動ブラケット３に力を加え、カッタ刃９が終端部に到達する時点まで下方へ進出を続けると、第２の切断確認用スイッチ７１がスイッチ押込み部材１５により押し込められてオンとなる。このオン／オフ状態、すなわち、第１の切断確認用スイッチ７０がオフに転じてから所定時間内（例えば、５秒以内）に第２の切断確認用スイッチ７１がオンになるか否かをＣＰＵ６８により監視している。
カッタ刃９の終端部の到達、すなわち、記録媒体５８が切断されたことを確認した操作者（図示省略）が、可動ブラケット３の上部に掛けていた指（または手）を外すと、可動ブラケットばね１０の作用により反発し、スイッチ押込み部材１５により押し込められてオンとなっていた第２の切断確認用スイッチ７１はオフに転じ、かつ、可動ブラケット３は待機位置に復帰するとともに、第１の切断確認用スイッチ７０がスイッチ押込み部材１５に押し込められてオンとなる。このオフ／オン状態、すなわち、第２の切断確認用スイッチ７１がオフに転じてから所定時間内（例えば、１〜３秒以内）に第１の切断確認用スイッチ７０がオンになるか否かをＣＰＵ６８により監視している。
【００３０】
このように、プリンタ５１側に第１および第２の切断確認用スイッチ７０、７１を設け、かつ、プリンタ５１に設けられたＣＰＵ６８にて第１および第２の切断確認用スイッチ７０、７１のオン／オフが所定時間内に行われるか否か監視することにより、可動ブラケット３に力を加えて固定ブラケット２側に進出させている途中で、誤って指を離してしまい、上記第１および第２の切断確認用スイッチ７０、７１のオン／オフが所定時間内に終わらなかったときは不完全な切断と見なし、次の動作に移行しないことにより、印字媒体５８が不完全な状態で発行されないよう防止できるようになっている。
なお、上記第１および第２の切断確認用スイッチ７０、７１のオン／オフの監視により、印字媒体５８が切断されて可動ブラケット３が待機位置に復帰・位置決めされた時点で印字媒体５８が完全に切断されたとみなされ、印字媒体５８は搬送方向Ｆとは逆の方向に搬送され、画像印刷部５６のラインヘッド６０に印字媒体５８の印字位置を位置決めするものである。
【００３１】
上述したように、排出方向Ｆと交差する幅方向Ｗに印字媒体５８を手動にて切断するため、プリンタ５１とカッタ装置１とを電源供給線や信号線で結ぶ必要がなく、かつ、カッタ装置１自体にカッタ刃９を回転させるモータや電源装置、並びに、切断を制御するＣＰＵが不要となるため、装置が安価にできる。
【００３２】
また、印字媒体５８を載置する印字媒体押え部６を備えた固定ブラケット２に対し、可動部材３を進出したとき、押付け機構８により印字媒体５８を印字媒体押え部６に押し付け・固定した上で、ガイド溝７に沿って固定刃９を幅方向Ｗに移動して押付け機構８と印字媒体押え部６との間に押し付けられている印字媒体５８を切断するので、切断が確実におこなわれるものである。
【００３３】
さらに、押付け機構８は、印字媒体押え部６に対峙する上方において、印字媒体押え部６とほぼ平行に突出して形成された支持部材１１と、可動ブラケット３を進出した際、印字媒体押え部６に載置された印字媒体５８に当接する押付け部材１２と、押付け部材１２を一端部に固定するとともに、他端部が支持部材１１の図示省略の貫通孔を貫通して設けられた保持軸１３と、保持軸１３に貫入するとともに、支持部材１１と押付け部材１２との間に介在する押付け部材ばね１４と、固定ブラケット２と可動ブラケット３の間に介在し、固定ブラケット２に対し可動ブラケット３を進退動可能とする可動ブラケットばね１０と、を備えているので、固定ブラケット２に対し可動ブラケット３を進退動させる際、可動ブラケットばね１０により可動ブラケット３の進退動が円滑であり、かつ、可動ブラケット３を固定ブラケット２に対し進出させた際、押付け部材ばね１４を介して押付け部材１２が印字媒体押え部６に載置された印字媒体５８を押付けるので、印字媒体５８の固定が確実となる。
【００３４】
また、カッタ刃９には、支持軸１６が形成されるとともに、支持軸１６がガイド溝７に挿入されており、可動ブラケット３が固定ブラケット２に向けて進出したとき、可動ブラケット３のガイド溝７に沿って支持軸１６が幅方向Ｗにおいて移動しながらカッタ刃９を回転させるので、モータなどを使用しない簡単な構造でカッタ刃９に回転力を付与することができる。
【００３５】
なお、上記実施の形態の構成及び動作は例であって、本発明の趣旨を逸脱しない範囲で適宜変更することができることは言うまでもない。
【符号の説明】
【００３６】
Ｃ    カバー
Ｆ    排出方向（下流側）
Ｗ    幅方向
１    手動カッタ装置
２    固定ブラケット
３    可動ブラケット
４    中空部
５    搬送口
６    印字媒体押え部
７    ガイド溝
８    押付け機構
９    カッタ刃
１０  可動ブラケットばね
１１  支持部材
１２  押付け部材
１３  保持軸
１４  押付け部材ばね
１５  スイッチ押込み部材
１６  カッタ刃９の支持軸
５１  プリンタ
５２  ラベルプリンタ（プリンタ装置）
５３  カッタユニット
５４  ロックプレート（連結板）
５５  本体ハウジング（プリンタ本体）
５６  画像印刷部（画像印字部）
５７  シート供給部
５８  連続紙（印字媒体）
５９  プラテンローラ
６０  ラインヘッド
６１  剥離部
６２  台紙
６３  補助ローラ
６４  台紙排出口
６５  カッタ本体
６６  （カッタ本体６５側の）接続コネクタ
６７  （本体ハウジング５５側の）接続コネクタ
６８  ＣＰＵ（ｃｅｎｔｒａｌ  ｐｒｏｃｅｓｓｉｎｇ  ｕｎｉｔ）
６９  ラベル発行口
７０  第１の切断確認用スイッチ
７１  第２の切断確認用スイッチ
【図１】
2014124769.tif 000003
【図２】
2014124769.tif 000004
【図３】
2014124769.tif 000005
【図４】
2014124769.tif 000006
【図５】
2014124769.tif 000007
【図６】
2014124769.tif 000008
【図７】
2014124769.tif 000009
【図８】
2014124769.tif 000010
【図９】
2014124769.tif 000011
【図１０】
2014124769.tif 000012